(57)【要約】【課題】この発明は、コントローラへのブラケットの組付作業の効率および正確性を向上し、ブラケットの誤組付を防止することを目的とする。【解決手段】この発明は、２つのブラケットを介して固定対象部分に固定するコントローラに２つのブラケットを組み付けるブラケットの組付構造において、２つのブラケットは配色を異ならせ、コントローラは２つのブラケットの各ブラケット側取付部がそれぞれ係合されるべきコントローラ側取付部を指示するブラケット配色情報を有するブラケット配色情報部を備え、ブラケット配色情報部はコントローラを固定対象部分へ固定する時に作業者が視認可能な位置に配置したことを特徴とする。【選択図】図１
2014019388.tif 000002
【特許請求の範囲】
【請求項１】
２つのブラケットを介して固定対象部分に固定するコントローラであって、前記コントローラは同一形状の２つのコントローラ側取付部を備え、前記２つのブラケットは前記コントローラ側取付部にそれぞれ係合するブラケット側取付部を備え、前記２つのコントローラ側取付部に前記ブラケット側取付部をそれぞれ係合することで前記コントローラに前記２つのブラケットを組み付けるブラケットの組付構造において、前記２つのブラケットは配色を異ならせ、前記コントローラは前記２つのブラケットの各ブラケット側取付部がそれぞれ係合されるべきコントローラ側取付部を指示するブラケット配色情報を有するブラケット配色情報部を備え、前記ブラケット配色情報部は前記コントローラを固定対象部分へ固定する時に作業者が視認可能な位置に配置したことを特徴とするブラケットの組付構造。
【発明の詳細な説明】
【技術分野】
【０００１】
この発明はブラケットの組付構造に係り、特に、コントローラに組み付けられるブラケットの組付作業の効率および正確性を向上することができるブラケットの組付構造に関する。
【背景技術】
【０００２】
車両などでは、搭載する機器を動作制御するコントローラにブラケットを組み付け、このブラケットを介してコントローラを車体などの固定対象部分に固定する場合がある。
従来のブラケットの組付構造には、コントローラが同一形状の２つのコントローラ側取付部を備え、また、２つのブラケットがコントローラ側取付部にそれぞれ係合するブラケット側取付部を備え、２つのコントローラ側取付部にブラケット側取付部をそれぞれ係合することで、コントローラに２つのブラケットを組み付けているものがある。
このように同一形状の２つのコントローラ側取付部を備えたコントローラに２つのブラケットを組み付ける場合には、２つのブラケットを誤った位置に組み付けてしまうことがある。
【０００３】
従来のブラケットの組付構造には、電気接続箱のケースに設けたブラケット取付部の目視可能な取付端面に識別記号を分割した一方の半記号を形成し、ブラケット取付部に取り付けるブラケットの目視可能な取付端面に前記識別記号の分割した他方の半記号を形成し、ブラケット取付部にブラケットを組み付けた際に、意味の読み取り可能な識別記号が合成された場合は正規の組み付けと識別し、識別記号が合成されない場合は誤った組み付けと識別できるようにしたものがある。（特許文献１）
【先行技術文献】
【特許文献】
【０００４】
【特許文献１】特開２００２−３４１１８号公報
【発明の概要】
【発明が解決しようとする課題】
【０００５】
しかし、前記特許文献１では、識別記号を分割してケース側とブラケット側とに半記号を形成し、ブラケットの組付時に作業者が識別記号を視認して意味を読み取っているため、識別記号を視認し難い環境では意味の読み取りが困難となり、誤って意味を読み取ってしまい、ブラケットを誤った位置に組み付けてしまうおそれがあった。
このため、コントローラのコントローラ側取付部が同一形状で、形状の異なる２つのブラケットをそれぞれ組み付ける構造に特許文献１の構造を採用した場合、識別記号を視認し難い環境では２つのブラケットをコントローラの対応する位置に組み付ける作業に手間がかかり、作業ミスによる誤組付が懸念される。
【０００６】
この発明は、同一形状の２つのコントローラ側取付部を備えるコントローラに異なるブラケットを組み付ける時、ブラケットの組付作業の効率および正確性を向上し、ブラケットの誤組付を防止することを目的とする。
【課題を解決するための手段】
【０００７】
この発明は、２つのブラケットを介して固定対象部分に固定するコントローラであって、前記コントローラは同一形状の２つのコントローラ側取付部を備え、前記２つのブラケットは前記コントローラ側取付部にそれぞれ係合するブラケット側取付部を備え、前記２つのコントローラ側取付部に前記ブラケット側取付部をそれぞれ係合することで前記コントローラに前記２つのブラケットを組み付けるブラケットの組付構造において、前記２つのブラケットは配色を異ならせ、前記コントローラは前記２つのブラケットの各ブラケット側取付部がそれぞれ係合されるべきコントローラ側取付部を指示するブラケット配色情報を有するブラケット配色情報部を備え、前記ブラケット配色情報部は前記コントローラを固定対象部分へ固定する時に作業者が視認可能な位置に配置したことを特徴とする。
【発明の効果】
【０００８】
この発明は、２つのブラケットの配色を異ならせ、ブラケット配色情報部をコントローラの固定対象部分への固定時に作業者が視認可能な位置に配置したことで、ブラケットのコントローラへの組付作業において、コントローラに配置したブラケット配色情報部のブラケット配色情報とコントローラに組み付けられたブラケットの配色との対比によって、コントローラに対する２つのブラケットの組み付け状態を視覚的に確認でき、２つのブラケットを確実にコントローラの対応する位置に組み付けることができる。
このため、この発明は、ブラケットの組付作業の効率および正確性を向上することができ、誤組付を防止することができる。
【図面の簡単な説明】
【０００９】
【図１】図１はブラケットの組付構造の斜視図である。（実施例）
【図２】図２はブラケット配色情報部の正面図である。（実施例）
【発明を実施するための形態】
【００１０】
以下、図面に基づいて、この発明の実施例を説明する。
【実施例】
【００１１】
図１、図２は、この発明の実施例を示すものである。図１において、１はコントローラ、２、３はブラケットである。コントローラ１は、２つのブラケット２、３を介して固定対象部分４に固定される。
前記コントローラ１は、四角箱形状の本体５の幅方向両側に、同一形状の２つのコントローラ側取付部６、７を備えている。１つのコントローラ側取付部６は、本体５の幅方向一側（図１において左側）に配置され、本体５の正面側（図１において固定対象部分４と対向する側）から背面側（図１において固定対象部分４から離れる側）に向かう溝形状に形成され、上下に対向する突縁部８、９を有している。他のコントローラ側取付部７は、本体５の幅方向他側（図１において右側）に配置され、本体５の正面側から背面側に向かう溝形状に形成され、上下に対向する突縁部１０、１１を有している。
前記２つのブラケット２、３は、異なる形状を有している。１つのブラケット２は、固定対象部分４に取り付ける固定部１２を備え、この固定部１２に一体的に形成したブラケット側取付部１３を備えている。ブラケット側取付部１３は、前記溝形状のコントローラ側取付部６に対応する長四角板形状に形成され、突縁部８、９に係合する側縁部１４、１５を有している。他のブラケット３は、固定対象部分４に取り付ける固定部１６を備え、この固定部１６に一体的に形成したブラケット側取付部１７を備えている。ブラケット側取付部１７は、前記溝形状のコントローラ側取付部７に対応する長四角板形状に形成され、突縁部１０、１１に係合する側縁部１８、１９を有している。
２つのブラケット２、３は、コントローラ１の１つのコントローラ側取付部６の突縁部８、９にブラケット側取付部１３の側縁部１４、１５を係合し、他のコントローラ側取付部７の突縁部１０、１１にブラケット側取付部１７の側縁部１８、１９を係合することで、コントローラ１の対応する位置に組み付けられる。
２つのブラケット２、３を組み付けたコントローラ１は、ブラケット２の固定部１２、ブラケット３の固定部１６を介して固定対象部分４に固定することができる。
【００１２】
前記２つのブラケット２、３は、配色を異ならせている。実施例においては、１つのブラケット２を黒色に配色し、他のブラケット３を白色に配色している。なお、図１において、ブラケット２の斜線は黒色を表示するものとする。前記コントローラ１は、ブラケット配色情報部２０を備えている。ブラケット配色情報部２０は、図２に示すように、２つのブラケット２、３の各ブラケット側取付部１３、１７がそれぞれ係合されるべき２つのコントローラ側取付部６、７を指示するブラケット配色情報２１、２２を有している。
１つのブラケット配色情報２１は、黒色に配色した領域と、黒色を意味する「ＢＬＡＣＫ」の文字とからなる。１つのブラケット配色情報２１は、ブラケット側取付部１３が係合されるべきコントローラ側取付部６を指示するように、ブラケット配色情報部２０の一側（図２において左側）に配置している。一方、他のブラケット配色情報２２は、白色に配色した領域と、白色を意味する「ＷＨＩＴＥ」の文字とからなる。他のブラケット配色情報２２は、ブラケット側取付部１７が係合されるべきコントローラ側取付部７を指示するように、ブラケット配色情報部２０の他側（図２において右側）に配置している。
前記ブラケット配色情報部２０は、コントローラ１を固定対象部分４へ固定する時に作業者が視認可能な位置に配置している。実施例のブラケット配色情報部１９は、図１に示すように、固定対象部分４にコントローラ１の本体５の正面側を向けた状態で、本体５の背面側であって、１つのブラケット配色情報２１が１つのコントローラ側取付部６に指向し、他のブラケット配色情報２２が他のコントローラ側取付部７に指向する位置に、配置している。
【００１３】
次に作用を説明する。
コントローラ１を固定対象部分４に固定する際には、コントローラ１の２つのコントローラ側取付部６、７に２つのブラケット２、３の各ブラケット側取付部１３、１７をそれぞれ係合することで、コントローラ１に２つのブラケット２、３を組み付ける。
ブラケット２、３の組み付け時には、コントローラ１の背面側に備えるブラケット配色情報部２０のブラケット配色情報２１、２２を参照して、各ブラケット側取付部１３、１７がそれぞれ係合されるべき２つのコントローラ側取付部６、７を明確に識別し、各ブラケット側取付部１３、１７を対応するコントローラ側取付部６、７に係合することができる。
２つのブラケット２、３を組み付けたコントローラ１は、ブラケット２の固定部１２、ブラケット３の固定部１６を介して固定対象部分４に固定することができる。
【００１４】
このように、ブラケット２、３の組付構造では、２つのブラケット２、３の配色を異ならせ、ブラケット配色情報２１、２２を有するブラケット配色情報部２０を、コントローラ１の固定対象部分４への固定時に作業者が視認可能な位置に配置している。
これにより、ブラケット２、３のコントローラ１への組付作業においては、コントローラ１に配置したブラケット配色情報部２０のブラケット配色情報２１、２２とコントローラ１に組み付けられたブラケット２、３の配色との対比によって、コントローラ１に対する２つのブラケット２、３の組み付け状態を視覚的に確認でき、２つのブラケット２、３を確実にコントローラ１の対応する位置に組み付けることができる。
このため、ブラケット２、３の組付構造は、ブラケット１の組付作業の効率および正確性を向上することができ、誤組付を防止することができる。
なお、ブラケット配色情報部２０は、コントローラ１の品番を示すシールに配色情報を加えることで、追加の部品を必要とせず、実施可能である。シールは、ブラケット配色情報部２０と異なる情報を加えることで、他の組付構造に転用可能である。また、配色については、ブラケット数に応じて色を分けることで、様々の組み合わせに対応可能である。
【産業上の利用可能性】
【００１５】
この発明は、同一形状の２つのコントローラ側取付部を備えるコントローラに異なるブラケットを組み付ける時、ブラケットの組付作業の効率および正確性を向上し、ブラケットの誤組付を防止することができるものであり、コントローラに限らず、同一形状の２つの取付部を備える部品に異なる固定用部品を組み付ける構造に適用することができる。
【符号の説明】
【００１６】
１  コントローラ
２、３  ブラケット
６、７  コントローラ側取付部
１３  ブラケット側取付部
１７  ブラケット側取付部
２０  ブラケット配色情報部
２１、２２  ブラケット配色情報
【図１】
2014019388.tif 000003
【図２】
2014019388.tif 000004